(57)【特許請求の範囲】
【請求項１】
建物内の第一空間に配置される空調装置と、
前記第一空間の床または壁に設けられる吸込み口と、
前記建物内の第二空間の床に設けられる吹出し口と、
前記吸込み口から前記第一空間の空気を吸込み、前記吹出し口から前記第二空間へ吹出す送風装置と、
前記第二空間の天井または上部の壁に設けられる排気装置と、
前記空調装置および前記送風装置を制御する制御装置と、を備え、
前記制御装置は、
前記空調装置と前記送風装置とを連携して動作させ、
前記空調装置が暖房運転または冷房運転している場合は、前記吹出し口から風速０．５ｍ／ｓ以下で空気が吹出すよう前記送風装置の風量を制御し、
前記第二空間の汚染物質を前記排気装置から排気することを特徴とする空気調和システム。
【請求項２】
前記制御装置は、前記空調装置の風量および風向きと、前記送風装置の風量とを対応付けて制御することを特徴とする請求項１に記載の空気調和システム。
【請求項３】
建物内の第一空間に配置される空調装置と、
前記第一空間の床または壁に設けられる吸込み口と、
前記建物内の第二空間の壁に設けられる吹出し口と、
前記吸込み口から前記第一空間の空気を吸込み、前記吹出し口から前記第二空間へ吹出す送風装置と、
前記第二空間の天井または上部の壁に設けられる排気装置と、
前記空調装置および前記送風装置を制御する制御装置と、を備え、
前記制御装置は、
前記空調装置と前記送風装置とを連携して動作させ、
前記空調装置が暖房運転している場合は、前記吹出し口から風速０．５ｍ／ｓ以下で空気が吹出すよう前記送風装置の風量を制御し、
前記空調装置が冷房運転している場合は、前記吹出し口から風速０．５〜１．０ｍ／ｓで空気が吹出すよう前記送風装置の風量を制御し、
前記第二空間の汚染物質を前記排気装置から排気することを特徴とする空気調和システム。
【請求項４】
前記吹出し口は、前記第二空間の床から高さ１．４ｍ以内の壁に設けられることを特徴とする請求項３に記載の空気調和システム。
【請求項５】
前記吸込み口は、前記第二空間側の床に設けられた第１の吸込み口と、前記空調装置の真下近傍の床に設けられた第２の吸込み口とからなり、
前記制御装置は、
前記空調装置の風向きを遠端向きに制御するとともに、前記送風装置の風量を弱に制御する第一優先制御と、
前記空調装置の風向きを真下向きにするとともに、前記送風装置の風量を強に制御する第二優先制御と、を実行することを特徴とする請求項１〜４の何れか一項に記載の空気調和システム。
【請求項６】
前記制御装置は、
起床時刻、外出時刻、帰宅時刻、入浴時刻または就寝時刻の少なくとも何れか一つが設定されるスケジュールを記憶するものであり、
前記スケジュールに応じて前記第一優先制御または前記第二優先制御の何れかを実行することを特徴とする請求項５に記載の空気調和システム。
【請求項７】
前記制御装置は、
前記起床時刻よりも前の予暖時刻または予冷時刻に、前記空調装置および前記送風装置の運転を開始し、前記第二優先制御を実行することを特徴とする請求項６に記載の空気調和システム。
【請求項８】
前記制御装置は、前記外出時刻になると、前記空調装置および前記送風装置を停止することを特徴とする請求項７に記載の空気調和システム。
【請求項９】
前記制御装置は、前記帰宅時刻よりも前の予暖時刻または予冷時刻に、前記空調装置および前記送風装置の運転を開始し、前記第一優先制御を実行することを特徴とする請求項６〜８の何れか一項に記載の空気調和システム。
【請求項１０】
前記制御装置は、前記入浴時刻よりも前の予暖時刻または予冷時刻に、前記第二優先制御を実行することを特徴とする請求項６〜９の何れか一項に記載の空気調和システム。
【請求項１１】
前記制御装置は、前記空調装置が暖房運転をしている場合であって、前記第二優先制御を実行した後に前記第一空間の温度が安定した場合、前記空調装置の風向きを遠端向きに変更し、前記送風装置の回転方向を反転させることを特徴とする請求項１０に記載の空気調和システム。
【請求項１２】
前記制御装置は、前記入浴時刻から予め設定された時間が経過した場合、前記送風装置を停止することを特徴とする請求項１０または１１に記載の空気調和システム。
【請求項１３】
前記制御装置は、前記就寝時刻になると、前記空調装置および前記送風装置を停止することを特徴とする請求項６〜１２の何れか一項に記載の空気調和システム。
【請求項１４】
前記吸込み口および前記吹出し口は、矩形、丸形、半丸形、円筒型またはライン形であることを特徴とする請求項１〜１３の何れか一項に記載の空気調和システム。
【請求項１５】
前記送風装置は、前記第二空間の床下に設置されることを特徴とする請求項１〜１４の何れか一項に記載の空気調和システム。
【発明の詳細な説明】
【技術分野】
【０００１】
本発明は、空調装置と送風装置とを備える空気調和システムに関するものである。
【背景技術】
【０００２】
従来、リビングなどの居住空間で空調された空気を用いて、洗面所などの非居住空間の空調を行うシステムが知られている。例えば、特許文献１には、リビングの床に吸込み口、洗面脱衣室の床に吹出し口をそれぞれ備え、当該吸込み口と吹出し口とが天井または床下空間部においてダクトで連通接続される空気調和システムが開示される。特許文献１のシステムでは、吹出し口に直結されるファンによって、リビングの空気がダクトを通って洗面脱衣室内に送り込まれることにより、冬期には洗面脱衣室を暖房でき、夏季には洗面脱衣室を冷房できる。
【先行技術文献】
【特許文献】
【０００３】
【特許文献１】特開２００４−２５７７０９号公報（段落［００２２］、図２参照）
【発明の概要】
【発明が解決しようとする課題】
【０００４】
しかしながら、特許文献１に記載の空気調和システムでは、熱ロスが発生し、効率的に暖気または冷気を洗面脱衣室に送ることができていない。
【０００５】
本発明は、上記のような課題を解決するためになされたもので、空調装置の制御対象外の空間の温度を効率的に制御することができる空気調和システムを提供することを目的とする。
【課題を解決するための手段】
【０００６】
本発明に係る空気調和システムは、建物内の第一空間に配置される空調装置と、第一空間の床または壁に設けられる吸込み口と、建物内の第二空間の床に設けられる吹出し口と、吸込み口から第一空間の空気を吸込み、吹出し口から第二空間へ吹出す送風装置と、第二空間の天井または上部の壁に設けられる排気装置と、空調装置および送風装置を制御する制御装置と、を備え、制御装置は、空調装置と送風装置とを連携して動作させ、空調装置が暖房運転または冷房運転している場合は、吹出し口から風速０．５ｍ／ｓ以下で空気が吹出すよう送風装置の風量を制御し、第二空間の汚染物質を排気装置から排気するものである。
【発明の効果】
【０００７】
本発明の空気調和システムによれば、空調される第一空間の空気を、第二空間の床または壁に設けられた吹出し口から吹出すことで、空調装置の制御対象外の空間である、例えば洗面所、トイレなどの第二空間の快適性を向上させることができる。さらに、空調装置と送風装置とを連携して動作させることで、第一空間の温度を制御することに加え、第一空間の冷暖気を効率的に第二空間に送ることができる。
【図面の簡単な説明】
【０００８】
【図１】実施の形態１における空気調和システムを備える住宅の断面模式図である。
【図２】実施の形態１の空気調和システムにおける各機器の配置を示す平面模式図である。
【図３】実施の形態１における空調装置の一例を示す図である。
【図４】実施の形態１の空気調和システムにおける制御システムの一例を示す図である。
【図５】（ａ）は実施の形態１における暖房時の弱風量制御による第二空間の気流分布の一例を示す図であり、（ｂ）は暖房時の弱風量制御による第二空間の温度勾配を示す図である。
【図６】（ａ）は実施の形態１における冷房時の弱風量制御による第二空間の気流分布の一例を示す図であり、（ｂ）は冷房時の弱風量制御による第二空間の温度勾配を示す図である。
【図７】第一優先制御および第二優先制御における制御内容を示す図である。
【図８】第一優先制御時の空気の流れを示す断面模式図である。
【図９】第二優先制御時の空気の流れを示す断面模式図である。
【図１０】暖房時の指定時刻制御を説明する図であり、（ａ）は第二居住域の温度変化を示し、（ｂ）は第一居住域の温度変化を示し、（ｃ）は室内機および送風装置の運転状態を示す。
【図１１】冷房時の指定時刻制御を説明する図であり、（ａ）は第二居住域の温度変化を示し、（ｂ）は第一居住域の温度変化を示し、（ｃ）は室内機および送風装置の運転状態を示す。
【図１２】起床前予暖制御を説明する図であり、（ａ）は第二居住域の温度変化を示し、（ｂ）は第一居住域の温度変化を示し、（ｃ）は室内機および送風装置の運転状態を示す。
【図１３】起床前予冷制御を説明する図であり、（ａ）は第二居住域の温度変化を示し、（ｂ）は第一居住域の温度変化を示し、（ｃ）は室内機および送風装置の運転状態を示す。
【図１４】第一居住域の温度を目標温度とする場合の帰宅前予暖制御を説明する図であり、（ａ）は第二居住域の温度変化を示し、（ｂ）は第一居住域の温度変化を示し、（ｃ）は室内機および送風装置の運転状態を示す。
【図１５】第一居住域の温度を目標温度とする場合の帰宅前予冷制御を説明する図であり、（ａ）は第二居住域の温度変化を示し、（ｂ）は第一居住域の温度変化を示し、（ｃ）は室内機および送風装置の運転状態を示す。
【図１６】第二居住域の温度を目標温度とする場合の帰宅前予暖制御を説明する図であり、（ａ）は第二居住域の温度変化を示し、（ｂ）は第一居住域の温度変化を示し、（ｃ）は室内機および送風装置の運転状態を示す。
【図１７】第二居住域の温度を目標温度とする場合の帰宅前予冷制御を説明する図であり、（ａ）は第二居住域の温度変化を示し、（ｂ）は第一居住域の温度変化を示し、（ｃ）は室内機および送風装置の運転状態を示す。
【図１８】暖房時の入浴時刻制御を説明する図であり、（ａ）は第一居住域の温度変化を示し、（ｂ）は第二居住域の温度変化を示し、（ｃ）は室内機および送風装置の運転状態を示す。
【図１９】暖房時の入浴時刻制御における入浴時刻前の空気の流れを示す断面模式図である。
【図２０】暖房時の入浴時刻制御における入浴中の空気の流れを示す断面模式図である。
【図２１】暖房時の入浴時刻制御における入浴後の空気の流れを示す断面模式図である。
【図２２】冷房時の入浴時刻制御を説明する図であり、（ａ）は第一居住域の温度変化を示し、（ｂ）は第二居住域の温度変化を示し、（ｃ）は室内機および送風装置の運転状態を示す。
【図２３】暖房時の就寝時刻制御を説明する図であり、（ａ）は第一居住域の温度変化を示し、（ｂ）は第二居住域の温度変化を示し、（ｃ）は室内機および送風装置の運転状態を示す。
【図２４】冷房時の就寝時刻制御を説明する図であり、（ａ）は第一居住域の温度変化を示し、（ｂ）は第二居住域の温度変化を示し、（ｃ）は室内機および送風装置の運転状態を示す。
【図２５】実施の形態２における吹出し口を第二空間の壁に配置した場合を示す断面模式図である。
【図２６】（ａ）は実施の形態２における暖房時の弱風量制御による第二空間の気流分布の一例を示す図であり、（ｂ）は暖房時の弱風量制御による第二空間の温度勾配を示す図である。
【図２７】（ａ）は実施の形態２における冷房時の中風量制御による第二空間の気流分布の一例を示す図であり、（ｂ）は冷房時の弱風量制御による第二空間の温度勾配を示す図である。
【図２８】実施の形態３の空気調和システムにおける各機器の配置を示す平面模式図である。
【図２９】実施の形態３の空気調和システムにおける空気の流れを示す断面模式図である。
【図３０】実施の形態３の変形例として、吹出し口を第二居住域の壁に配置した場合を示す断面模式図である。
【図３１】実施の形態４の空気調和システムにおける各機器の配置を示す平面模式図である。
【図３２】実施の形態４の空気調和システムにおける空気の流れを示す断面模式図である。
【図３３】実施の形態４の変形例として、吹出し口を第二居住域の壁に配置した場合を示す断面模式図である。
【図３４】実施の形態５の空気調和システムにおける各機器の配置を示す平面模式図である。
【図３５】実施の形態５の空気調和システムにおける空気の流れを示す断面模式図である。
【図３６】実施の形態６の空気調和システムにおける各機器の配置を示す平面模式図である。
【図３７】実施の形態６の空気調和システムにおける空気の流れを示す断面模式図である。
【図３８】変形例の空気調和システムにおける各機器の配置を示す平面模式図である。
【発明を実施するための形態】
【０００９】
以下、本発明の実施の形態について、図面を用いて詳細に説明する。なお、以下の実施の形態における具体的な各種設定例は一例を示すものであり、これらに限定されるものではない。また、以下の説明において、「システム」とは、複数の装置で構成される装置全体を表す。
【００１０】
実施の形態１．
図１は、本発明の実施の形態１における空気調和システムを備える住宅１の断面模式図である。また、図２は、本実施の形態の空気調和システムにおける各機器の配置を示す平面模式図である。図１に示すように、本実施の形態の空気調和システムは、２階建ての住宅などに設置される。また、図２に示すように、住宅１には、リビング２、トイレ５、洗面所６および浴室７がある。リビング２の外側の壁には、空調装置１００の室内機１０３が設置される。室内機１０３は、冷房、暖房、除湿、加湿、保湿または送風などの運転モードにて、リビング２を空調する。室内機１０３の運転／停止、風向きおよび風量などは、集中制御装置２０２によって制御される。本実施の形態において、リビング２のように室内機１０３が設置され、室内機１０３によって直接空調が行われる空間を第一空間１１という。また、トイレ５、洗面所６および浴室７のように、室内機１０３が設置されていない空間を第二空間１２という。さらに、第一空間１１における、床から高さ１．４ｍまでの範囲を第一居住域１３という。また、第二空間１２における、床から高さ１．４ｍまでの範囲を第二居住域１４という。
【００１１】
図１および図２に示すように、リビング２の床には、ライン形状の吸込み口１０５が設けられる。本実施の形態では、２個の吸込み口１０５が、室内機１０３の真下近傍および第二空間１２側の壁の近傍にそれぞれ配置される。また、リビング２の床下には、送風装置１０２が設けられる。送風装置１０２は、ダクト１０７を介して吸込み口１０５と連通している。送風装置１０２は、回転駆動されて空気流を発生する送風ファンを備える。送風装置１０２が運転することにより、第一空間１１の空気が吸込み口１０５から吸込まれる。また、リビング２の外側の壁の上部または天井には、外気を室内に給気するため、２個の給気装置９が設けられる。送風装置１０２の運転／停止および風量（風速）、ならびに給気装置９の運転／停止および風量は、集中制御装置２０２によって制御される。
【００１２】
トイレ５および洗面所６の床には、矩形状の吹出し口１０６が設けられる。図２に示すように、本実施の形態では、トイレ５の床における第一空間１１側の隅に１個の吹出し口１０６が配置され、洗面所６の床における第一空間１１側の隅および外側の隅に、それぞれ吹出し口１０６が配置される。吹出し口１０６は、ダクト１０７を介して送風装置１０２と連通している。送風装置１０２が運転することにより、第一空間１１の空気が、吸込み口１０５から吸込まれ、吹出し口１０６から吹出される。さらに、トイレ５、洗面所６、浴室７の外側の壁の上部または天井には、室内の空気を排気するための排気装置１０がそれぞれ設けられる。排気装置１０の運転／停止および風量は、集中制御装置２０２によって制御される。リビング２の給気装置９によって取り込まれた空気は、リビング２を通過して、トイレ５、洗面所６および浴室７へと流れ、排気装置１０によって外へと排出される。これにより、トイレ５、洗面所６、浴室７で発生する臭気など汚染空気がリビング２へ流入することを防いでいる。
【００１３】
本実施の形態では、第一居住域１３の床に設置されたライン形の吸込み口１０５によって、第一居住域１３の一定範囲の有効な冷暖気を吸込み、第二居住域１４の床の隅から吹き出すことで、第二空間１２の床面から高さ０．２ｍ以内で、冷たいまたは暖かい空気層を形成することができる。また、床の隅に吹出し口１０６を設けることで、送風装置１０２に連繋されるダクト１０７のコスト低減を提供しつつ、トイレ５や洗面所６など排水システムと同じレイアウトが使用できる。さらに、人体に直接気流を当てないため、快適性も向上する。
【００１４】
図３は、本実施の形態における空調装置１００の一例を示す図である。本実施の形態の空調装置１００は、リビング２に配置される室内機１０３と、住宅１の外に配置される室外機１０４とを備える。室内機１０３は、室内送風機１１３および室内熱交換器１１５を備え、冷房、暖房、除湿、加湿、保湿または送風などの運転モードにて空調を行う。室外機１０４は、室外送風機１１４、室外熱交換器１１６、膨張弁１１７、四方弁１１８、および圧縮機１１９を備える。圧縮機１１９、四方弁１１８、室内熱交換器１１５、膨張弁１１７および室外熱交換器１１６が環状に冷媒配管１２０で接続されることで冷媒回路が構成される。そして、冷媒回路の内部を冷媒が圧縮と膨張を繰り返しながら循環することで、ヒートポンプが形成され、住宅１に暖気または冷気を供給する。
【００１５】
図４は、本実施の形態の空気調和システムにおける制御システムの一例を示す図である。図４に示すように、本実施の形態の制御システムは、集中制御装置２０２と、集中制御装置２０２に接続される表示操作装置２０１、空調制御装置２０３、送風制御装置２０４、給気制御装置２０５および排気制御装置２０６とを備える。空調制御装置２０３は空調装置１００の室内機１０３と接続される。送風制御装置２０４は送風装置１０２と接続される。給気制御装置２０５は給気装置９と接続される。排気制御装置２０６は排気装置１０と接続される。各制御装置間、および各制御装置と各制御対象装置との間は、有線または無線通信で接続され、制御指令や機器情報などが相互に伝達される。集中制御装置２０２、空調制御装置２０３、送風制御装置２０４、給気制御装置２０５および排気制御装置２０６は、専用のハードウェア、またはメモリ（図示せず）に格納されるプログラムを実行するＣＰＵ（Central Processing Unit、中央処理装置、処理装置、演算装置、マイクロプロセッサ、マイクロコンピュータ、プロセッサともいう）で構成される。
【００１６】
表示操作装置２０１は、例えばリモコンであり、空気調和システムの使用者によって操作されるとともに、空気調和システムの運転情報等を表示する。表示操作装置２０１から入力される情報は、集中制御装置２０２に送られる。表示操作装置２０１から入力される情報は、例えば、空調装置１００と送風装置１０２との連携制御の実行または解除に関する指示、空調装置１００および送風装置１０２を複数備える場合は、これらの中から連携させる機器を選択する指示、および空調装置１００と送風装置１０２との連携制御のスケジュールなどである。
【００１７】
集中制御装置２０２は、例えばＨＥＭＳ（Home Energy Management System）コントローラであり、表示操作装置２０１から入力された情報、および図示しないメモリに記憶される制御プログラムに従って、空調制御装置２０３、送風制御装置２０４、給気制御装置２０５および排気制御装置２０６へ制御指令を送るとともに、空調制御装置２０３、送風制御装置２０４、給気制御装置２０５および排気制御装置２０６から各機器の運転情報およびセンサ情報などを受信する。
【００１８】
具体的には、集中制御装置２０２から空調制御装置２０３へは、運転／停止、運転モード、目標温度、風量および風向などに関する指令が送られる。そして、集中制御装置２０２から送風制御装置２０４、給気制御装置２０５および排気制御装置２０６へは、空調装置１００との連携に関する運転／停止、風量などの指令が送られる。また、空調制御装置２０３、送風制御装置２０４、給気制御装置２０５および排気制御装置２０６から集中制御装置２０２へ送られるセンサ情報としては、室内温度、室内湿度、室内風速、室内空気圧力、外気温度、外気湿度、外気風速、外気圧力、ヒートポンプの冷媒温度（配管温度）、冷媒圧力、壁温度、照度、日射、在室情報、画像情報、ＣＯ２濃度、ＶＯＣ濃度、粉塵濃度および臭気濃度などがある。
【００１９】
本実施の形態の集中制御装置２０２は、空調装置１００の室内機１０３と送風装置１０２とを連携して動作させ、室内機１０３によって第一空間１１に供給される冷暖気を、吸込み口１０５から吸込み、吹出し口１０６から第二空間１２に吹出す。これにより、住宅１内の温度差を削減することができる。以下に、本実施の形態の集中制御装置２０２によって実施される連携制御について説明する。連携制御において、集中制御装置２０２は、空調装置１００の風量および風向きと、送風装置１０２の風量とを対応付けて制御する。
【００２０】
（制御例１：弱風量制御）
集中制御装置２０２は、連携制御として、室内機１０３が冷房運転または暖房運転をしている場合、送風装置１０２の風量を「弱」に設定する。ここで、送風装置１０２の風量が「弱」に設定される場合、吹出し口１０６から風速０．５ｍ／ｓ以下（例えば０．１〜０．５ｍ／ｓ）の低速で空気が吹出される。図５（ａ）は、暖房時の弱風量制御による第二空間１２の気流分布の一例を示す図であり、図５（ｂ）は、暖房時の弱風量制御による第二空間１２の温度勾配を示す図である。本制御では、室内機１０３から吹出される暖気は、第一空間１１の吸込み口１０５から吸込まれ、吹出し口１０６から、低速で吹出される。このように、第二空間１２の床から目標温度よりも高温の空気を低速で吹出すことで、床面付近（例えば床面から高さ０．１〜０．２ｍまで）に空気層が形成され、温められた空気の浮力を換気の駆動力として利用し、サーマルプルーム（自然対流ジェット）を発生させることができる。そして、暖気を第二居住域１４まで溜めるのと同時に、細菌、ウイルスなど汚染物質を温度勾配により上昇気流で排出することができる。また、このとき、第二空間１２の天井または壁上部に設置された排気装置１０を運転することで、汚染された空気を天井まで上昇させ、天井面に沿って流し、排気装置１０に流入させることができる。これにより、効率よく第二空間１２の居住域（すなわち第二居住域１４）を空調するとともに第二空間１２を換気することができる。
【００２１】
図６（ａ）は、冷房時の弱風量制御による第二空間１２の気流分布の一例を示す図であり、図６（ｂ）は、冷房時の弱風量制御による第二空間１２の温度勾配を示す図である。本制御では、室内機１０３から吹出される冷気は、第一空間１１の吸込み口１０５から吸込まれ、吹出し口１０６から低速で吹出される。吹出し口１０６から低速で冷気を吹出すことにより、第二空間１２に不均一な冷気分布が形成され、効果的に汚染物質を除去することができる。また、高密度の新鮮な冷気が第二空間１２の床付近に溜まり、その冷気が第二居住域１４の温度境界層を保つと同時に、汚染物質を押し上げることができる。
【００２２】
(制御例２：第一優先制御／第二優先制御)
集中制御装置２０２は、連携制御として、第一居住域１３の温度が目標温度に到達することを優先する第一優先制御と、第二居住域１４の温度が目標温度に到達することを優先する第二優先制御と、を実行する。第一優先制御および第二優先制御の何れを実行するかは、表示操作装置２０１から入力されるスケジュール、または各制御装置から送信されるセンサ情報に基づいて選択される。
【００２３】
図７は、第一優先制御および第二優先制御における制御内容を示す図である。図７に示すように、集中制御装置２０２は、第一優先制御の場合、室内機１０３の吹出し方向を遠端向きに設定し、送風装置１０２の風量を「弱」に設定する。ここで、「遠端向き」とは、室内機１０３のルーバの角度を４５°〜７０°とすることである。なお、ルーバの角度は、床面に対して鉛直方向を０°とし、床面と平行な方向を９０°とする。また、集中制御装置２０２は、第二優先制御の場合、室内機１０３の吹出し方向を真下向きに設定し、送風装置１０２の風量を「強」に設定する。ここで、「真下向き」とは、室内機１０３のルーバの角度を３０°以内とすることであり、送風装置１０２の風量が「強」に設定された場合、吹出し口１０６から風速１.０ｍ／ｓ以上で空気が吹出される。
【００２４】
図８は、第一優先制御時の空気の流れを示す断面模式図である。図８に示すように、第一優先制御では、室内機１０３の風向きが遠端向きに設定される。そして、送風装置１０２が運転されると、第一居住域１３の床において、第二空間１２の近傍に配置された吸込み口１０５によって、室内機１０３が吹出す冷暖気が吸込まれる。これにより、吸込み口１０５と吹出し口１０６を接続するダクト１０７の圧損を低減すること、および送風装置１０２が備えるファンの電力を削減することができる。また、第二空間１２の床に設置された吹出し口１０６から、低速で冷暖気が吹出される。これにより、第一居住域１３の室温は、第二居住域１４の室温よりも早く目標温度まで到達する。生活シーンに応じて、第一優先制御を実行することで、第一空間１１の室温を優先的に制御でき、第一空間１１の快適性が向上する。
【００２５】
図９は、第二優先制御時の空気の流れを示す断面模式図である。図９に示すように、第二優先制御では、室内機１０３の風向きが真下向きに設定される。そして、送風装置１０２が運転されると、第一居住域１３の床において、室内機１０３の真下近傍に配置された吸込み口１０５によって、室内機１０３が吹出す冷暖気が吸込まれる。これにより、室内機１０３が吹出した空気を、効率良く吸込み口１０５に届けることができる。また、第二空間１２の床に設置された吹出し口１０６から、強い風速で冷暖気が吹出される。これにより、第二居住域１４の室温は、第一居住域１３の室温よりも早く目標温度まで到達する。生活シーンに応じて、第二優先制御を実行することで、第二空間１２の室温を優先的に制御でき、第二空間１２の快適性が向上する。
【００２６】
（制御例３：指定時刻制御）
集中制御装置２０２は、表示操作装置２０１から入力される指定時刻に従って、室内機１０３および送風装置１０２を連携制御する。図１０は、暖房時の指定時刻制御を説明する図である。図１０（ａ）は、第二居住域１４の温度変化を示し、図１０（ｂ）は、第一居住域１３の温度変化を示し、図１０（ｃ）は、室内機１０３および送風装置１０２の運転状態を示す。本制御例では、指定時刻として、室内機１０３の運転開始時刻と停止時刻とが指定され、集中制御装置２０２に記憶される。
【００２７】
集中制御装置２０２は、指定された運転開始時刻になると、空調制御装置２０３へ運転開始指令を送り、室内機１０３の暖房運転を開始する。同時に集中制御装置２０２は、送風制御装置２０４へ運転開始指令を送り、室内機１０３と連動して送風装置１０２の運転を開始する。これにより、第一居住域１３に暖気が供給されるとともに、吸込み口１０５から吸込まれた暖気が吹出し口１０６から第二居住域１４に供給され、第一居住域１３および第二居住域１４の温度が目標温度まで上昇する。また、集中制御装置２０２は、指定された運転停止時刻になると、空調制御装置２０３へ停止指令を送り、室内機１０３の暖房運転を停止する。同時に集中制御装置２０２は、送風制御装置２０４へ停止指令を送り、室内機１０３と連動して送風装置１０２を停止する。
【００２８】
図１１は、冷房時の指定時刻制御を説明する図である。図１１（ａ）は、第二居住域１４の温度変化を示し、図１１（ｂ）は、第一居住域１３の温度変化を示し、図１１（ｃ）は、室内機１０３および送風装置１０２の運転状態を示す。図１０に示す暖房時と同様に、集中制御装置２０２は、指定された運転開始時刻になると、空調制御装置２０３へ運転開始指令を送り、室内機１０３の冷房運転を開始する。同時に集中制御装置２０２は、送風制御装置２０４へ運転開始指令を送り、室内機１０３と連動して送風装置１０２の運転を開始する。これにより、第一居住域１３に冷気が供給されるとともに、吸込み口１０５から吸込まれた冷気が吹出し口１０６から第二居住域１４に供給され、第一居住域１３および第二居住域１４の温度が目標温度まで低下する。また、集中制御装置２０２は、指定された運転停止時刻になると、空調制御装置２０３へ停止指令を送り、室内機１０３の暖房運転を停止する。同時に集中制御装置２０２は、送風制御装置２０４へ停止指令を送り、室内機１０３と連動して送風装置１０２を停止する。
【００２９】
（制御例４）
また、集中制御装置２０２は、表示操作装置２０１を介して設定されるスケジュールに従って、室内機１０３および送風装置１０２を連携制御する。設定されるスケジュールは、起床時刻、外出時刻、帰宅時刻、入浴時刻および就寝時刻などがあり、集中制御装置２０２に記憶される。
【００３０】
（制御例４−１：起床前予暖／予冷制御）
例えば、集中制御装置２０２は、スケジュールに設定される起床時刻よりも前に、室内機１０３および送風装置１０２の運転を開始し、室内機１０３から供給される冷暖気によって、第一居住域１３および第二居住域１４を予暖または予冷する。
【００３１】
図１２は、起床前予暖制御を説明する図である。図１２（ａ）は、第二居住域１４の温度変化を示し、図１２（ｂ）は、第一居住域１３の温度変化を示し、図１２（ｃ）は、室内機１０３および送風装置１０２の運転状態を示す。集中制御装置２０２は、指定された起床時刻よりも所定時間（例えば３０分）前の予暖時刻になると、空調制御装置２０３へ運転開始指令を送り、室内機１０３の暖房運転を開始する。同時に集中制御装置２０２は、送風制御装置２０４へ運転開始指令を送り、室内機１０３と連動して送風装置１０２の運転を開始する。また、このとき、洗面所６などの第二居住域１４の温度を目標温度にすることを優先するため、第二優先制御が実施される。詳しくは、図９に示すように、室内機１０３の吹出し方向が真下（ルーバ３０°以内）向きに設定され、送風装置１０２の風量が「強」に設定される。また、室内機１０３の風量も「強」に設定される。これにより、第二居住域１４が優先して暖房される。
【００３２】
そして、第二居住域１４の温度が目標温度に到達した場合、集中制御装置２０２は、送風制御装置２０４へ送風装置１０２の風量を「弱」へ変更する指令を送り、送風装置１０２の風量を低下させる。また、第一居住域１３の温度が目標温度に到達した場合、集中制御装置２０２は、空調制御装置２０３へ室内機１０３の風量を「弱」へ変更する指令を送り、室内機１０３の風量を低下させる。また、集中制御装置２０２は、起床時刻から所定時間（例えば３０時間）が経過した場合、送風制御装置２０４へ停止指令を送り、送風装置１０２を停止させる。一方、集中制御装置２０２は、第一居住域１３の温度が目標温度の許容範囲内を維持するように、室内機１０３の風量を「弱」としたまま運転を継続する。そして、集中制御装置２０２は、外出時刻になると、空調制御装置２０３へ停止指令を送り、室内機１０３の暖房運転を停止させる。
【００３３】
図１３は、起床前予冷制御を説明する図である。図１３（ａ）は、第二居住域１４の温度変化を示し、図１３（ｂ）は、第一居住域１３の温度変化を示し、図１３（ｃ）は、室内機１０３および送風装置１０２の運転状態を示す。暖房時と同様に、集中制御装置２０２は、指定された起床時刻よりも所定時間（例えば３０分）前の予冷時刻になると、空調制御装置２０３へ運転開始指令を送り、室内機１０３の冷房運転を開始する。同時に集中制御装置２０２は、送風制御装置２０４へ運転開始指令を送り、室内機１０３と連動して送風装置１０２の運転を開始する。また、このとき、暖房時と同様に、第二優先制御が実施される。詳しくは、図９に示すように、室内機１０３の吹出し方向が真下（ルーバ３０°以内）向きに設定され、送風装置１０２の風量が「強」に設定される。また、室内機１０３の風量も「強」に設定される。これにより、第二居住域１４が優先して冷房される。
【００３４】
そして、第二居住域１４の温度が目標温度に到達した場合、集中制御装置２０２は、暖房時と同様に、送風制御装置２０４へ送風装置１０２の風量を「弱」へ変更する指令を送り、送風装置１０２の風量を低下させる。また、第一居住域１３の温度が目標温度に到達した場合、集中制御装置２０２は、空調制御装置２０３へ室内機１０３の風量を「弱」へ変更する指令を送り、室内機１０３の風量を低下させる。また、集中制御装置２０２は、起床時刻から所定時間が経過した場合、送風制御装置２０４へ停止指令を送り、送風装置１０２を停止させる。一方、集中制御装置２０２は、第一居住域１３の温度が目標温度の許容範囲内を維持するように、室内機１０３の風量を「弱」としたまま運転を継続する。そして、集中制御装置２０２は、外出時刻になると、空調制御装置２０３へ停止指令を送り、室内機１０３の冷房運転を停止させる。
【００３５】
上記のような起床前予暖／予冷制御を行うことで、冬期には第一居住域１３から第二居住域１４まで暖房することができ、夏季には第一居住域１３から第二居住域１４まで冷房することができ、快適性が向上する。同時に、室内機１０３の風量および風向き、ならびに送風装置１０２の風量を制御し、効率の良い気流の流れを提供することで、省エネと快適性を両立することができる。
【００３６】
（制御例４−２：帰宅前予暖／予冷制御）
また、集中制御装置２０２は、スケジュールに設定される帰宅時刻よりも前に室内機１０３および送風装置１０２の運転を開始し、室内機１０３から供給される冷暖気によって、第一居住域１３および第二居住域１４を予暖または予冷する。なお、帰宅前の予暖／予冷制御においては、第一居住域１３の温度を目標温度とする場合（図１４、図１５）と、第一居住域１３および第二居住域１４の温度を目標温度とする場合（図１６、図１７）の２パターンがある。
【００３７】
図１４は、第一居住域１３の温度を目標温度とする場合の帰宅前予暖制御を説明する図である。図１４（ａ）は、第二居住域１４の温度変化を示し、図１４（ｂ）は、第一居住域１３の温度変化を示し、図１４（ｃ）は、室内機１０３および送風装置１０２の運転状態を示す。集中制御装置２０２は、指定された帰宅時刻よりも所定時間（例えば３０分）前の予暖時刻になると、空調制御装置２０３へ運転開始指令を送り、室内機１０３の暖房運転を開始する。同時に集中制御装置２０２は、送風制御装置２０４へ運転開始指令を送り、室内機１０３と連動して送風装置１０２の運転を開始する。また、このとき、リビング２などにおける第一居住域１３の温度が目標温度に到達することと、省エネの実現とを両立させるため、第一優先制御を実行する。詳しくは、図８に示すように室内機１０３の吹出し方向が遠端（ルーバ４５〜７０°）向きに設定され、送風装置１０２の風量が「弱」に設定される。また、室内機１０３の風量も「弱」に設定される。これにより、第一居住域１３が優先して暖房される。
【００３８】
そして、第一居住域１３の温度が目標温度に到達した場合、集中制御装置２０２は、空調制御装置２０３へ、室内機１０３の吹出し方向を真下（ルーバ３０°以内）向きに変更する指令を送る。これにより、室内機１０３の風向きが真下に変更され、第二居住域１４に暖気が送られる。
【００３９】
図１５は、第一居住域１３の温度を目標温度とする場合の帰宅前予冷制御を説明する図である。図１５（ａ）は、第二居住域１４の温度変化を示し、図１５（ｂ）は、第一居住域１３の温度変化を示し、図１５（ｃ）は、室内機１０３および送風装置１０２の運転状態を示す。暖房時と同様に、集中制御装置２０２は、指定された帰宅時刻よりも所定時間（例えば３０分）前の予冷時刻になると、空調制御装置２０３へ運転開始指令を送り、室内機１０３の冷房運転を開始する。同時に集中制御装置２０２は、送風制御装置２０４へ運転開始指令を送り、室内機１０３と連動して送風装置１０２の運転を開始する。また、このとき、暖房時と同様に、第一優先制御が実施される。詳しくは、図８に示すように室内機１０３の吹出し方向が遠端（ルーバ４５〜７０°）向きに設定され、送風装置１０２の風量が「弱」に設定される。また、室内機１０３の風量も「弱」に設定される。これにより、第一居住域１３が優先して暖房される。
【００４０】
そして、第一居住域１３の温度が目標温度に到達した場合、集中制御装置２０２は、空調制御装置２０３へ、室内機１０３の吹出し方向を真下（ルーバ３０°以内）向きに変更する指令を送る。これにより、室内機１０３の風向きが真下に変更され、第二居住域１４に冷気が送られる。
【００４１】
図１６は、第二居住域１４の温度を目標温度とする場合の帰宅前予暖制御を説明する図である。図１６（ａ）は、第二居住域１４の温度変化を示し、図１６（ｂ）は、第一居住域１３の温度変化を示し、図１６（ｃ）は、室内機１０３および送風装置１０２の運転状態を示す。集中制御装置２０２は、指定された帰宅時刻よりも所定時間（例えば３０分）前の予暖時刻になると、空調制御装置２０３へ運転開始指令を送り、室内機１０３の暖房運転を開始する。同時に集中制御装置２０２は、送風制御装置２０４へ運転開始指令を送り、室内機１０３と連動して送風装置１０２の運転を開始する。また、このとき、室内機１０３の吹出し方向は遠端（ルーバ４５〜７０°）向きに設定され、室内機１０３の風量および送風装置１０２の風量は「弱」に設定される（第一優先制御）。
【００４２】
そして、第一居住域１３の予暖時間を短縮するために、集中制御装置２０２は、室内機１０３の運転開始から所定の時間が経過した場合、空調制御装置２０３へ室内機１０３の風量を「強」へ変更する指令を送り、室内機１０３の風量を上昇させる。そして、第一居住域１３の温度が目標温度に到達した場合、集中制御装置２０２は、空調制御装置２０３へ、室内機１０３の風量を「弱」へ変更するとともに、吹出し方向を真下（ルーバ３０°以内）向きに変更する指令を送る。これにより、室内機１０３の風量を低下させ、風向きが真下に変更される。同時に、集中制御装置２０２は、送風制御装置２０４へ送風装置１０２の風量を「強」に変更する指令を送る。これにより、第二居住域１４の温度が目標温度に到達する。
【００４３】
図１７は、第二居住域１４の温度を目標温度とする場合の帰宅前予冷制御を説明する図である。図１７（ａ）は、第二居住域１４の温度変化を示し、図１７（ｂ）は、第一居住域１３の温度変化を示し、図１７（ｃ）は、室内機１０３および送風装置１０２の運転状態を示す。集中制御装置２０２は、指定された帰宅時刻よりも所定時間（例えば３０分）前の予冷時刻になると、空調制御装置２０３へ運転開始指令を送り、室内機１０３の冷房運転を開始する。同時に集中制御装置２０２は、送風制御装置２０４へ運転開始指令を送り、室内機１０３と連動して送風装置１０２の運転を開始する。また、このとき、室内機１０３の吹出し方向は遠端（ルーバ４５〜７０°）向きに設定され、室内機１０３の風量および送風装置１０２の風量は「弱」に設定される（第一優先制御）。
【００４４】
そして、第一居住域１３の予冷時間を短縮するために、集中制御装置２０２は、室内機１０３の運転開始から所定の時間が経過した場合、空調制御装置２０３へ室内機１０３の風量を「強」へ変更する指令を送り、室内機１０３の風量を上昇させる。そして、第一居住域１３の温度が目標温度に到達した場合、集中制御装置２０２は、空調制御装置２０３へ、室内機１０３の風量を「弱」へ変更するとともに、吹出し方向を真下（ルーバ３０°以内）向きに変更する指令を送る。これにより、室内機１０３の風量を低下させ、風向きが真下に変更される。同時に、集中制御装置２０２は、送風制御装置２０４へ送風装置１０２の風量を「強」に変更する指令を送る。これにより、第二居住域１４の温度が目標温度に到達する。
【００４５】
上記のような帰宅前予暖／予冷制御を行うことで、帰宅時には第一居住域１３および第二居住域１４が暖房または冷房されているため、快適性が向上する。また、最初に第一居住域１３を予暖または予冷し、送風装置１０２を用いて、第一居住域１３の空気を吸込んで第二居住域１４に吹出すことで、効率良く第二居住域１４を予暖または予冷することができ、省エネと快適性を両立することができる。
【００４６】
（制御例４−３：入浴時刻制御）
集中制御装置２０２は、スケジュールに設定される入浴時刻に従って、室内機１０３および送風装置１０２を連携制御する。
【００４７】
図１８は、暖房時の入浴時刻制御を説明する図である。図１８（ａ）は、第一居住域１３の温度変化を示し、図１８（ｂ）は、第二居住域１４の温度変化を示し、図１８（ｃ）は、室内機１０３および送風装置１０２の運転状態を示す。なお、入浴時刻制御開始時において、室内機１０３は風量「弱」で暖房運転しているものとする。集中制御装置２０２は、指定された入浴時刻よりも所定時間（例えば３０分）前の予暖時刻になると、送風制御装置２０４へ運転開始指令を送り、送風装置１０２の運転を開始する。また、このとき、洗面所６など第二居住域１４の温度が目標温度に到達することを優先するため、第二優先制御が実施される。詳しくは、室内機１０３の吹出し方向は真下（ルーバ３０°以内）向きに設定され、室内機１０３および送風装置１０２の風量は「強」に設定される。これにより、洗面所６などの第二居住域１４が予暖される。
【００４８】
そして、第二居住域１４の温度が目標温度に到達すると、集中制御装置２０２は、送風制御装置２０４へ送風装置１０２の風量を「弱」に変更する指令を送り、送風装置１０２の風量を低下させる。同時に、集中制御装置２０２は、空調制御装置２０３へ、室内機１０３の風量を「弱」へ変更するとともに、吹出し方向を自動向きに変更する指令を送る。ここで、自動向きとは、ルーバの角度を３０〜６０°とすることである。その後、第一居住域１３の温度が安定すると、集中制御装置２０２は、送風制御装置２０４へ、ファンの回転方向を反転させる指令を送る。同時に、集中制御装置２０２は、空調制御装置２０３へ風量を「弱」へ変更するとともに、吹出し方向を遠端（ルーバ４５〜７０°）向きに変更する指令を送る。これにより、第二居住域１４の空気が、吹出し口１０６から吸込まれ、吸込み口１０５から第一居住域１３へ吹き出される。
【００４９】
そして、入浴時刻から所定の時間が経過した場合、集中制御装置２０２は、送風制御装置２０４へ送風装置１０２を停止する指令を送る。一方、室内機１０３は、第一居住域１３の温度が目標温度の許容範囲内で変化する間、風量「弱」で暖房運転を継続する。
【００５０】
図１９は、暖房時の入浴時刻制御における入浴時刻前の空気の流れを示す断面模式図である。図２０は、暖房時の入浴時刻制御における入浴中の空気の流れを示す断面模式図である。図２１は、暖房時の入浴時刻制御における入浴後の空気の流れを示す断面模式図である。図１９〜図２１において、気流を矢印で示している。図１９に示すように、入浴時刻前の予暖時刻になると、送風装置１０２が運転され、第一居住域１３の有効な暖気が第二居住域１４まで導入される。このとき、室内機１０３の吹出し方向は真下（ルーバ３０°以内）向きであり、送風装置１０２は室内機１０３と同様に風量「強」に設定される。
【００５１】
また、図２０に示すように、入浴中は、室内機１０３の吹出し方向は自動（ルーバ３０〜６０°）向きであり、送風装置１０２は室内機１０３と同じ風量「弱」に設定される。さらに、図２１に示すように、入浴後は、室内機１０３の吹出し方向は遠端（ルーバ４５〜７０°）向きにされるとともに、送風装置１０２の送風方向が反転され、第二居住域１４の空気が第一居住域１３に導入される。なお、入浴後、送風装置１０２の送風方向を反転させるタイミングは、集中制御装置２０２が記憶する入浴時刻と第二居住域１４に設置された温度センサによって決定されてもよい。
【００５２】
図２２は、冷房時の入浴時刻制御を説明する図である。図２２（ａ）は、第一居住域１３の温度変化を示し、図２２（ｂ）は、第二居住域１４の温度変化を示し、図２２（ｃ）は、室内機１０３および送風装置１０２の運転状態を示す。なお、入浴時刻制御開始時において、室内機１０３は風量「弱」で冷房運転しているものとする。集中制御装置２０２は、指定された入浴時刻よりも所定時間（例えば３０分）前の予冷時刻になると、送風制御装置２０４へ運転開始指令を送り、送風装置１０２の運転を開始する。また、このとき、洗面所６など第二居住域１４の温度が目標温度に到達することを優先するため、第二優先制御が実施される。詳しくは、室内機１０３の吹出し方向は真下（ルーバ３０°以内）向きに設定され、室内機１０３および送風装置１０２の風量は「強」に設定される。これにより、洗面所６などの第二居住域１４が予冷される。
【００５３】
そして、第二居住域１４の温度が目標温度に到達すると、集中制御装置２０２は、送風制御装置２０４へ送風装置１０２の風量を「弱」に変更する指令を送り、送風装置１０２の風量を低下させる。同時に、集中制御装置２０２は、空調制御装置２０３へ室内機１０３の風量を「弱」へ変更するとともに、吹出し方向を自動（ルーバ３０〜６０°）向きに変更する指令を送る。そして、入浴時刻から所定時間が経過した場合、集中制御装置２０２は、送風制御装置２０４へ送風装置１０２を停止する指令を送る。一方、室内機１０３は、第一居住域１３の温度が目標温度の許容範囲内で変化する間、風量「弱」で冷房を継続する。
【００５４】
上記のような入浴時刻制御を行うことで、入浴時には第二居住域１４が暖房または冷房されているため、快適性が向上する。また、冬期、入浴前後に送風装置１０２の風向きを反転させることで、入浴前には第二居住域１４を温めるとともに、入浴後には第二居住域１４の高い湿度の空気を搬送して第一居住域１３を加湿することができ、快適性がさらに向上する。
【００５５】
（制御例４−４：就寝時刻制御）
また、集中制御装置２０２は、スケジュールに設定される就寝時刻となった場合に、室内機１０３を停止する。
【００５６】
図２３は、暖房時の就寝時刻制御を説明する図である。図２３（ａ）は、第一居住域１３の温度変化を示し、図２３（ｂ）は、第二居住域１４の温度変化を示し、図２３（ｃ）は、室内機１０３および送風装置１０２の運転状態を示す。集中制御装置２０２は、指定された就寝時刻になると、空調制御装置２０３へ運転停止指令を送り、室内機１０３の暖房運転を停止する。なお、就寝時刻制御の開始時において、送風装置１０２が運転している場合は、集中制御装置２０２は、同時に送風制御装置２０４へ送風装置１０２を停止する指令を送り、室内機１０３と連動させて送風装置１０２を停止させる。
【００５７】
図２４は、冷房時の就寝時刻制御を説明する図である。図２４（ａ）は、第一居住域１３の温度変化を示し、図２４（ｂ）は、第二居住域１４の温度変化を示し、図２４（ｃ）は、室内機１０３および送風装置１０２の運転状態を示す。集中制御装置２０２は、指定された就寝時刻になると、空調制御装置２０３へ運転停止指令を送り、室内機１０３の冷房運転を停止する。なお、就寝時刻制御の開始時において、送風装置１０２が運転している場合は、集中制御装置２０２は、同時に送風制御装置２０４へ送風装置１０２を停止する指令を送り、室内機１０３と連動させて送風装置１０２を停止させる。
【００５８】
上記のように、本実施の形態によると、室内機１０３を備える第一空間１１だけでなく、空調装置１００の制御対象空間外であるトイレ５、洗面所６などの第二空間１２の快適性を向上させることができる。さらに、室内機１０３と送風装置１０２とを連携して動作させるよう風量や風向きを制御することで、熱ロスの発生を抑制するとともに、効率的に冷暖気を第二空間１２に送ることができる。また、これにより、空調装置１００および送風装置１０２の消費電力の増加も抑制される。
【００５９】
実施の形態２．
次に、本発明の実施の形態２について説明する。実施の形態２では、第二空間１２に設けられる吹出し口１０６が、第二空間１２の床ではなく、壁に設けられる点において、実施の形態１と相違する。空気調和システムのその他の構成については実施の形態１と同じである。
【００６０】
図２５は、吹出し口１０６を第二空間１２の壁に配置した場合を示す断面模式図である。吹出し口１０６は、第二空間１２の第一空間１１側の壁に配置される。より詳しくは、吹出し口１０６は、第二居住域１４の壁、すなわち床から１．４ｍ以内に配置される。そして、集中制御装置２０２は、室内機１０３が暖房運転をしている場合、実施の形態１と同様の弱風量制御を行う。図２６（ａ）は、本実施の形態における暖房時の弱風量制御による第二空間１２の気流分布の一例を示す図であり、図２６（ｂ）は、暖房時の弱風量制御による第二空間１２の温度勾配を示す図である。実施の形態１と同様に、室内機１０３から吹出される暖気は、第一空間１１の吸込み口１０５から吸込まれ、吹出し口１０６から低速（例えば０．１〜０．５ｍ／ｓ）で吹出される。上下温度差による上昇気流を利用することにより、第二居住域１４に良好な空気質を提供することができる。また、第二空間１２に、室内発熱体（人）がいる場合、サーマルプルームが生じ、高効率な換気が実現できるため、搬送動力を削減することができる。
【００６１】
また、集中制御装置２０２は、室内機１０３が冷房運転をしている場合、送風装置１０２の風量を「中」に設定する。ここで、送風装置１０２の風量が「中」に設定された場合、吹出し口１０６から風速１．０ｍ／ｓ以下（例えば０．５〜１．０ｍ／ｓ）の中速で空気が吹出される。図２７（ａ）は、冷房時の中風量制御による第二空間１２の気流分布の一例を示す図であり、図２７（ｂ）は、冷房時の中風量制御による第二空間１２の温度勾配を示す図である。中風量制御では、室内機１０３から吹出される冷気は、第一空間１１の吸込み口１０５から吸込まれ、吹出し口１０６から、中速で吹出される。これにより、床付近温度成層を形成し、ピストンフローに近い換気を実現できる。また、排気温度を室温より高くするので空調風量を小さくすることができ、健康で快適な環境と省エネルギーを両立させることが可能になる。なお、別の実施の形態として、吸込み口１０５を第一空間１１の壁であって、第一居住域１３の壁に設ける構成としてもよい。
【００６２】
実施の形態３．
次に、本発明の実施の形態３について説明する。実施の形態３では、第二空間１２に設けられる吹出し口１０６の配置が実施の形態１と相違する。空気調和システムのその他の構成については実施の形態１と同じである。
【００６３】
図２８は、本実施の形態の空気調和システムにおける各機器の配置を示す平面模式図である。また、図２９は、本実施の形態の空気調和システムにおける空気の流れを示す断面模式図である。図２８に示すように、本実施の形態では、トイレ５および洗面所６の床面の中央に矩形の吹出し口１０６を設ける。本実施の形態の空気調和システムでは、第一居住域１３の床に設置されたライン形の吸込み口１０５によって、第一居住域１３における一定範囲の有効な冷暖気を吸込み、第二居住域１４の床面の中央から低速で吹出す。これにより、換気効率が向上する。また、トイレ５および洗面所６の床の中央から吹出すことで、図２９において矢印で示すように、冷暖気が床上０．２ｍ以内に充満し、サーマルプルームを生じることができる。
【００６４】
また、図３０は、本実施の形態の変形例として、吹出し口１０６を第二居住域１４の壁に配置した場合を示す断面模式図である。この場合、吹出し口１０６は、第二居住域１４の内側の壁の中央に配置され、吸込み口１０５によって吸込まれた冷暖気を第二居住域１４の壁の中央から低速で吹出す。これにより、上記と同様に換気効率が向上する。
【００６５】
実施の形態４．
次に、本発明の実施の形態４について説明する。実施の形態４では、第二空間１２に設けられる吹出し口１０６の形状および配置が実施の形態１と相違する。空気調和システムのその他の構成については実施の形態１と同じである。
【００６６】
図３１は、本実施の形態の空気調和システムにおける各機器の配置を示す平面模式図である。また、図３２は、本実施の形態の空気調和システムにおける空気の流れを示す断面模式図である。図３１に示すように、本実施の形態では、トイレ５および洗面所６の床にライン形の吹出し口１０６Ａが設けられる。また、ライン形の吹出し口１０６Ａは、トイレ５と洗面所６の間の壁に沿って配置される。本実施の形態の空気調和システムでは、第一居住域１３の床に設置されたライン形の吸込み口１０５によって、第一居住域１３における一定範囲の有効な冷暖気を吸込み、第二居住域１４の壁付近に配置された吹出し口１０６Ａから低速で吹出す。これにより、吹出し口１０６Ａで冷たいまたは暖かい空気を層流に形成し、冷暖気は汚染物や臭気を壁に沿わせて天井付近の排気装置１０に搬送できる。
【００６７】
図３３は、本実施の形態の変形例として、吹出し口１０６Ａを第二居住域１４の壁に配置した場合を示す断面模式図である。この場合、吹出し口１０６Ａは、トイレ５と洗面所６の間の壁に配置され、吸込み口１０５によって吸込まれた冷暖気を第二居住域１４の壁の中央から低速で吹出す。この場合も、吹出し口１０６Ａで冷たいまたは暖かい空気を層流に形成し、冷暖気は汚染物や臭気を壁に沿わせて天井付近の排気装置１０に搬送できる。
【００６８】
実施の形態５．
次に、本発明の実施の形態５について説明する。実施の形態５では、第一空間１１に設けられる吸込み口１０５の形状が実施の形態４と相違する。空気調和システムのその他の構成については実施の形態４と同じである。
【００６９】
図３４は、本実施の形態の空気調和システムにおける各機器の配置を示す平面模式図である。また、図３５は、本実施の形態の空気調和システムにおける空気の流れを示す断面模式図である。図３４に示すように、本実施の形態では、第一居住域１３の床の室内機１０３の真下近傍および第二空間１２側の壁の近傍に丸形の吸込み口１０５Ａがそれぞれ設けられ、トイレ５および洗面所６の床にライン形の吹出し口１０６Ａが設けられる。また、ライン形の吹出し口１０６Ａは、トイレ５と洗面所６の間の壁にそって配置される。本実施の形態の空気調和システムでは、第一居住域１３の床に設置された丸形の吸込み口１０５Ａによって、第一居住域１３の一定範囲における有効な冷暖気を吸込み、第二居住域１４の壁付近に低速で吹出す。このように、吸込み口１０５Ａを丸形とすることで、均一なボルテックス・フロー（渦流）を吸込み、送風装置１０２のダクト１０７の圧損を低減するとともに、第一居住域１３の温度勾配が与える影響が抑制される。また、吹出し口１０６Ａで冷たいまたは暖かい空気を層流に形成し、気流は矢印によって、冷暖気は汚染物や臭気を壁に沿わせて天井付近の排気装置１０に搬送できる。
【００７０】
実施の形態６．
次に、本発明の実施の形態６について説明する。実施の形態６では、第二空間１２に設けられる吹出し口１０６の形状および配置が実施の形態１と相違する。空気調和システムのその他の構成については実施の形態１と同じである。
【００７１】
図３６は、本実施の形態の空気調和システムにおける各機器の配置を示す平面模式図である。また、図３７は、本実施の形態の空気調和システムにおける空気の流れを示す断面模式図である。図３６に示すように、本実施の形態では、第二居住域１４の床の中央に丸形の吹出し口１０６Ｂが設けられる。本実施の形態の空気調和システムでは、第一居住域１３の床に設置されたライン形の吸込み口１０５によって、第一居住域１３の一定範囲における有効な冷暖気を吸込み、第二居住域１４の床の中央から低速で導入する。このように、吹出し口１０６Ｂを丸形とすることで、冷たいまたは暖かい空気をジェットフローに形成し、第二居住域１４の全体に送風可能になる。これにより、冷暖気利用効率が向上し、暖房／冷房時間を短くできる。また、本実施の形態の変形例として、丸形の吹出し口１０６Ｂを第二居住域１４の壁に設けてもよい。
【００７２】
以上が本発明の実施の形態の説明であるが、本発明は、上記の実施の形態の構成に限定されるものではなく、その技術的思想の範囲内で様々な変形または組み合わせが可能である。例えば、上記実施の形態では、空気調和システムを２階建ての住宅１に設置する場合を例に説明したが、これに限定されるものではなく、集合住宅やオフィスビルなどの様々な建物に設置してもよい。
【００７３】
また、住宅１の図２に示される部屋以外の部屋に空気調和システムの各装置を配置してもよい。例えば、キッチン８に吹出し口１０６を備えるとともに、複数の送風装置１０２を備えてもよい。図３８は、本変形例の空気調和システムにおける各機器の配置を示す平面模式図である。図３８に示すように、本変形例では、第二空間１２であるキッチン８の床の隅に、二つの吹出し口１０６が配置される。また、キッチン８の外側の壁には給気装置９および排気装置１０が配置される。また、本変形例では、リビング２の吸込み口１０５から吸込まれた空気を、キッチン８の吹出し口１０６から吹き出すための送風装置１０２Ａをさらに備える。集中制御装置２０２は、実施の形態１の制御例１〜４のように、複数の送風装置１０２および１０２Ａと室内機１０３とを連携制御することができる。また、住宅１の寝室に室内機１０３を備え、集中制御装置２０２が、複数の室内機１０３の運転状態や生活シーンに応じて、複数の送風装置１０２、１０２Ａと複数の室内機１０３との連携制御を行ってもよい。
【００７４】
また、吸込み口１０５および吹出し口１０６の形状は、矩形、丸形、ライン形に限定されるものではなく、半丸形または円筒型などであってもよい。さらに、吸込み口１０５および吹出し口１０６の数および配置も、上記実施の形態に限定されるものではなく、室内の広さおよびレイアウトに応じて、任意の数をすることができる。
【符号の説明】
【００７５】
１  住宅、２  リビング、５  トイレ、６  洗面所、７  浴室、８  キッチン、９  給気装置、１０  排気装置、１１  第一空間、１２  第二空間、１３  第一居住域、１４  第二居住域、１００  空調装置、１０２、１０２Ａ  送風装置、１０３  室内機、１０４  室外機、１０５、１０５Ａ  吸込み口、１０６、１０６Ａ、１０６Ｂ  吹出し口、１０７  ダクト、１１３  室内送風機、１１４  室外送風機、１１５  室内熱交換器、１１６  室外熱交換器、１１７  膨張弁、１１８  四方弁、１１９  圧縮機、１２０  冷媒配管、２０１  表示操作装置、２０２  集中制御装置、２０３  空調制御装置、２０４  送風制御装置、２０５  給気制御装置、２０６  排気制御装置。
【図１】
0006355660.tif 000002
【図２】
0006355660.tif 000003
【図３】
0006355660.tif 000004
【図４】
0006355660.tif 000005
【図５】
0006355660.tif 000006
【図６】
0006355660.tif 000007
【図７】
0006355660.tif 000008
【図８】
0006355660.tif 000009
【図９】
0006355660.tif 000010
【図１０】
0006355660.tif 000011
【図１１】
0006355660.tif 000012
【図１２】
0006355660.tif 000013
【図１３】
0006355660.tif 000014
【図１４】
0006355660.tif 000015
【図１５】
0006355660.tif 000016
【図１６】
0006355660.tif 000017
【図１７】
0006355660.tif 000018
【図１８】
0006355660.tif 000019
【図１９】
0006355660.tif 000020
【図２０】
0006355660.tif 000021
【図２１】
0006355660.tif 000022
【図２２】
0006355660.tif 000023
【図２３】
0006355660.tif 000024
【図２４】
0006355660.tif 000025
【図２５】
0006355660.tif 000026
【図２６】
0006355660.tif 000027
【図２７】
0006355660.tif 000028
【図２８】
0006355660.tif 000029
【図２９】
0006355660.tif 000030
【図３０】
0006355660.tif 000031
【図３１】
0006355660.tif 000032
【図３２】
0006355660.tif 000033
【図３３】
0006355660.tif 000034
【図３４】
0006355660.tif 000035
【図３５】
0006355660.tif 000036
【図３６】
0006355660.tif 000037
【図３７】
0006355660.tif 000038
【図３８】
0006355660.tif 000039